(57)【特許請求の範囲】
【請求項１】
装填庫装着部と、
装填庫装着部に設置された貨幣を装填するための装填庫と、
前記装填庫に装填された貨幣を投出する貨幣投出部と、
装置本体に対して施開錠可能な遮蔽扉であって前記装填庫装着部に設置された前記装填庫を遮蔽する前記遮蔽扉とを有し、
前記装填庫は複数個あり、
前記遮蔽扉は、前記装填庫の数よりも少ない、複数個あり、
前記各遮蔽扉は、互いに独立して開閉可能に設けられており、
前記複数個の装填庫が前記複数個の遮蔽扉で遮蔽される結果、一つの遮蔽扉あたり遮蔽される装填庫の数が複数あり、
各遮蔽扉で遮蔽される複数の装填庫には、互いに同一金種の装填庫が含まれていることを特徴とする貨幣処理装置。
【請求項２】
補充すべき装填庫の属する位置を表示する画面表示部がさらに設けられている請求項１に記載の貨幣処理装置。
【請求項３】
各遮蔽扉には、遮蔽扉を独立してロックするロック機構がそれぞれ備えられ、貨幣処理装置の貨幣処理中に出入金処理をする装填庫を遮蔽する遮蔽扉は、前記ロック機構によりロックされる請求項１又は請求項２に記載の貨幣処理装置。
【請求項４】
前記装填庫は列ごとに設けられており、
前記遮蔽扉は、一枚で一列の装填庫を遮蔽する請求項１から請求項３の何れかに記載の貨幣処理装置。
【請求項５】
前記装填庫は列ごとに設けられており、
前記遮蔽扉は、一枚で複数の列の装填庫を遮蔽する請求項１から請求項３の何れかに記載の貨幣処理装置。
【請求項６】
前記装填庫に収容されている貨幣の数を計数する貨幣検知センサをさらに有し、前記遮蔽扉を閉じたときに、前記貨幣検知センサによって計数された結果を用いて各装填庫を自動的に精査する請求項１から請求項５の何れかに記載の貨幣処理装置。
【請求項７】
前記装填庫は、紙幣又は包装貨幣を装填するものである請求項１から請求項６の何れかに記載の貨幣処理装置。
【発明の詳細な説明】
【技術分野】
【０００１】
本発明は、金融機関の両替機等に内蔵される貨幣処理装置に関し、さらには包装硬貨等の貨幣を金種別に装填する装填庫（トレー）に装填された貨幣を管理して補充することのできる貨幣処理装置に関するものである。
【背景技術】
【０００２】
貨幣処理装置には、同金種の複数本の包装硬貨を装填する金種別装填庫が複数段設けられている。また、この貨幣処理装置には、該金種別装填庫から一本ずつ取出した包装硬貨を昇降動作によって取出口まで搬送するバケットが設けられている。
また、貨幣処理装置は、装置内部に装填した包装硬貨の現金管理を行なうため、各金種別装填庫内に装填する包装硬貨の装填量を検知し、現金管理する管理手段を備えている。
【０００３】
従来、装填庫に装填した包装硬貨の金種及び残量を検知する検知手段を備えた貨幣処理装置が提案されている。この貨幣処理装置の検知手段は、包装硬貨の装填方向に沿って、装填庫両側面に備えられたスリットを通過する光のＯＮ／ＯＦＦの変化状態にて包装硬貨の残量及び金種を検知する貨幣検知センサ等で実現される。この貨幣処理装置は、貨幣検知センサがスリットに沿って移動して当該装填庫に装填された包装硬貨の残量及び金種を検知することができる。
【０００４】
前記従来例によれば、貨幣検知センサによって、装置内部に装填した貨幣処理装置の残量、金種などを検知して、装填した包装硬貨の残量管理を行なうことができ、装填した包装硬貨の残量が少なくなった場合に、装填した包装硬貨が無くなる以前に包装硬貨を補充することができる。
【先行技術文献】
【特許文献】
【０００５】
【特許文献１】特開2008-192097号公報
【発明の概要】
【発明が解決しようとする課題】
【０００６】
通常、包装硬貨の補充では、図１２，１３に示すように、いったん貨幣処理装置１０′を休止させ、保守員が装置後扉４０を開け、遮蔽扉４１があればそれも開けて装填庫を抜取り、包装硬貨を装填庫に補充し、補充済の装填庫を装着していた。保守員は、貨幣処理装置１０′に包装硬貨の装填本数を計数する計数処理を実行させて正常に包装硬貨が補充されたことを確認した上で、貨幣処理の取扱を再開させていた。
【０００７】
しかし、実際の運用においては、貨幣処理装置を利用する利用客が行列を成して次々に利用している場合が多い。このため、補充のため貨幣処理装置を休止させると、多数の利用客を待たせることにつながるので、貨幣処理装置を稼動させたまま包装硬貨を補充することが望まれていた。
そこで前記特許文献１によれば、装填庫装着部に抜取可能に装着された複数の装填庫ごとに、抜取りの可否を判定し、この判定によって抜取不可と判定された装填庫の誤った抜取操作を防止するロック装置が具備されている。これにより、稼動状態の貨幣処理装置に対して、動作処理に支障することなく包装硬貨を補充できる。
【０００８】
ところが、前記先行技術によれば、貨幣処理装置に、複数の装填庫ごとにロック装置を設けなければならず、また各装填庫に対してロック装置の施開錠を行う必要があり、包装硬貨の補充操作が煩雑になるという問題があった。
そこで本発明は、包装硬貨の補充をする場合に誤った抜取操作を防止するための簡単な構造を設けることによって、稼動状態での補充を可能にして稼動効率を向上させ、利用客の利便性を向上させる貨幣処理装置を提供することを目的としている。
【課題を解決するための手段】
【０００９】
本発明の貨幣処理装置は、装填庫装着部に設置された貨幣を装填するための装填庫と、前記装填庫に装填された貨幣を投出する貨幣投出部と、装置本体に対して施開錠可能な遮蔽扉であって、前記装填庫装着部に設置された前記装填庫を遮蔽する前記遮蔽扉とを有し、前記装填庫は複数個あり、前記遮蔽扉は、前記装填庫の数よりも少ない、複数個あり、前記各遮蔽扉は、互いに独立して開閉可能に設けられており、前記複数個の装填庫が前記複数個の遮蔽扉で遮蔽される結果、一つの遮蔽扉あたり遮蔽される装填庫の数が複数あり、各遮蔽扉で遮蔽される複数の装填庫には、互いに同一金種の装填庫が含まれているものである。
【００１０】
この構成であれば、貨幣処理装置が処理中であっても、入出金処理をしていない装填庫を貨幣補充の対象とし、入出金処理をしている装填庫を補充の対象から除外することができる。したがって、貨幣処理装置の処理中において、「貨幣を取出予定の金種別装填庫が抜取られることによって自動両替装置に障害が生じる」ことを防止するとともに、従来のように利用客を待たすことなく、貨幣処理装置の処理作業を実施することができる。したがって、保守員の手間も省け、貨幣補充が適切にできる。
また、各遮蔽扉で遮蔽される複数の装填庫には、互いに同一金種の装填庫が含まれているので、入出金の対象とする装填庫を選択するときに、補充の対象に選定された装填庫が属さない他の装填庫の中から、選択することができるので、利用客を待たせることもなく、稼働率の向上が実現できる。
【００１１】
補充すべき装填庫の属する位置を表示する画面表示部がさらに設けられていることが好ましい。保守員はこの表示を見ながら、装填庫に貨幣を補充することができる。
各遮蔽扉には、遮蔽扉を独立してロックするロック機構がそれぞれ備えられ、貨幣処理装置の貨幣処理中に出入金処理をする装填庫を遮蔽する遮蔽扉は、前記ロック機構によりロックされることが好ましい。このロック機構を設けることにより、出入金処理中の装填庫を誤って抜き出すという事態を避けることができる。
【００１２】
前記装填庫は列ごとに設けられており、前記遮蔽扉は一枚で一列の装填庫を遮蔽するものであってもよいし、一枚で複数の列の装填庫を遮蔽するものであってもよい。
【００１３】
前記装填庫に収容されている貨幣の数を計数する貨幣検知センサをさらに有し、前記遮蔽扉を閉じたときに、前記貨幣検知センサによって計数された結果を用いて各装填庫を自動的に精査する手段をさらに有することが好ましい。
前記装填庫は、紙幣又は包装貨幣を装填するものであってもよい。
【図面の簡単な説明】
【００１４】
【図１】貨幣処理装置を内蔵する自動両替機１０の外観構成を示す斜視図である。
【図２】自動両替機１０の接続状態と貨幣処理機能を示す機能ブロック図である。
【図３】包装硬貨処理部１５、装填庫装着部１７の内部構造を示す模式的な断面図である。
【図４】装填庫１８の斜視図である。
【図５】包装貨幣を収納した装填庫１８の斜視図である。
【図６】複数の透過スリットが形成された装填庫１８の側板を示す図である。
【図７】自動両替機１０の背面を見た斜視図であり、装置後扉４０を開いた状態を示す。
【図８】自動両替機１０の背面を見た斜視図であり、遮蔽扉４１ｂを開いた状態を示す。
【図９】装填庫１８への貨幣の補充を許容する貨幣補充取扱い動作を説明するためのフローチャートである。
【図１０】補充対象列の選択動作を示すフローチャートである。
【図１１】装填庫装着部１７の各列に、互いに同一金種の装填庫１８が含まれているようにした装填庫１８のレイアウトを示す図である。
【図１２】従来の貨幣処理装置１０′の背面を見た斜視図であり、装置後扉４０を開いた状態を示す。
【図１３】従来の貨幣処理装置１０′の背面を見た斜視図であり、遮蔽扉４１を開いた状態を示す。
【発明を実施するための形態】
【００１５】
以下、本発明の実施の形態を、添付図面を参照しながら詳細に説明する。
図１は貨幣処理装置を内蔵する自動両替機１０の外観構成の一例を示している。
筐体の正面上部には、タッチパネル式ディスプレイを有する顧客操作部１２、取扱中／取扱中止を表示する取扱状態表示部１２Ａ、釣銭やバラの両替硬貨が投出されるバラ硬貨取出口１４ａが設けられ、その下方には包装硬貨取出口１５ａと紙幣入出金口１６ａが設けられている。貨幣を入出金する前記のバラ硬貨取出口１４ａ、包装硬貨取出口１５ａ及び紙幣入出金口１６ａにはそれぞれシャッタ１４ｂ,１５ｂ及び１６ｂが設けられており、当該貨幣の入出金時に当該シャッタが開閉されるようになっている。また、正面下部の垂直面には、入金紙幣中の硬貨等の異物を返却するための異物返却口１６ｃが設けられている。カード挿入口やレシート発行口の図示は省略する。
【００１６】
筐体の内部には、バラ硬貨の入出金処理をするバラ硬貨処理部１４、紙幣の入出金処理をする紙幣処理部１６が設置され、包装硬貨取出口１５ａの下部には包装硬貨の出金処理をする包装硬貨処理部１５が設置されている。包装硬貨処理部１５には、包装硬貨処理部１５に包装硬貨を供給するための装填庫装着部１７が分離／結合可能に接続されている。
図２は、図１に示した自動両替機１０（例えば２台を図示している）を手数料管理サーバ２０に接続構成したネットワーク構成を示している。また同図に各自動両替機１０の内部の貨幣処理機能をブロック構成で示す。
【００１７】
図２において、自動両替機１０は、装置全体を制御する制御部（ＣＰＵ）１１に対して、両替貨幣の選択操作などをするための顧客操作部１２と、装着センサ３１と、貨幣検知センサ３２と、係員画面３３と、ロック機構４２と（いずれも後述）が接続されている。また制御部１１には、制御プログラム並びに装着センサ３１及び貨幣検知センサ３２で検知した結果を記憶するハードディスクなどの記憶部１３と、手数料管理サーバ２０との通信を制御する通信部２２とが接続されている。これらの各部の機能の全部又は一部は、記憶部１３に記録されたプログラムを、自動両替機１０のコンピュータが実行することにより実現される。
【００１８】
手数料管理サーバ２０は、両替に対応して前払い手数料を記憶する記憶部２１を備えており、通信回線等の伝送媒体２を介して各自動両替機１０とオンライン接続される。なお、手数料管理サーバ２０を備えない形態も可能であり、この場合、前払い手数料を記憶する記憶部は、複数台の自動両替機１０に対して１つであり、ファイルシェアリング等の形態により各自動両替機１０から共用されるようにしてもよい。さらに、記憶部を各自動両替機１０に内蔵しておいても構わない。
【００１９】
図３は、包装硬貨処理部１５及び装填庫装着部１７の内部構造を示す模式的な断面図である。
包装硬貨処理部１５は、包装硬貨処理部１５に包装硬貨を供給するための前記装填庫装着部１７が設けられており、装填庫装着部１７には、貨幣を装填するための複数の装填庫１８が装着可能になっている。装填庫１８は縦複数列に設置されている。この実施形態では図７、図８に示すように、縦２列に設置されている。
【００２０】
包装硬貨処理部１５には、金種別の装填庫１８から包装硬貨３０を１本ずつ取り出して金種等を鑑別した上で収納する昇降式のバケット２３が備えられ、バケット２３に集積した包装硬貨３０は、包装硬貨取出口１５ａを通して利用者により取出される。なお、昇降式のバケット２３は、包装硬貨処理部１５の制御を行う制御部１１（図２）と接続されている。
【００２１】
装填庫１８は、図３に示すように、同一金種を奥行き方向に並列させて多数収納することができるように、長尺形状に形成されている。金種別の装填庫１８は左右二列で上下方向に複数段配設され、それぞれは包装硬貨３０を取り出す先端部分が下向きとなるように前傾姿勢で装填庫装着部１７に抜取可能に装着されている。
装填庫装着部１７は、各装填庫１８の装着の有無を検知するためのセンサ（「装着センサ」という）３１を備えている。装着センサ３１は、装填庫装着部１７に設けられた上下方向の枠部（図示せず）の、各段の装填庫１８の先端に対応する位置に取り付けられていて、装填庫１８を検知することにより、装填庫１８の装着および非装着の判断を行う。装着センサ３１は例えば赤外線で送受信する送受信機で構成しても良く、この場合装填庫１８にトランスポンダを設置することにより、装着センサ３１は装填庫１８の装着の有無、金種の区別を読み取ることができる。
【００２２】
制御部１１は、装着センサ３１をセンシングすることにより、金種別の装填庫１８の装着、非装着（抜取中）を監視しており、各金種別の装填庫１８の装着か非装着（抜取中）かを集計した結果を、記憶部１３に記憶させる。
また、装填庫装着部１７は、各装填庫１８内部に収納された包装硬貨の有無を検知し、収納本数に変化がないかを調べるための貨幣検知センサ３２を備えている。この貨幣検知センサ３２については後述する。
【００２３】
次に、包装硬貨を収納する装填庫１８の構造について図４〜図６を用いて説明する。
図４、図５は装填庫１８の斜視図であり、図６は装填庫１８の部分側面図である。
装填庫１８は、その内部ボックスの形状（幅、高さなど）に応じて、特定の金種の包装硬貨３０を収納する構成になっており、装填庫１８の下端部には、包装硬貨３０を支える爪３６が設けられている。装填庫１８の側面には、収納された包装硬貨３０の本数を認識するための貨幣検知センサ３２が、装填庫１８をその長手方向Ａに沿って走査可能に備えられている。
【００２４】
詳述すると、金種別の装填庫１８の各側面には、包装硬貨３０の両端面を支持する側板３４が立設されている。各側板３４には、包装硬貨３０の直径に相当する間隔を隔てて複数の透過スリット３５が形成されている。透過スリット３５は、この実施形態では上下２段形成されており、上段の透過スリット３５ａは、包装硬貨３０の中心部に相対する位置に形成されている。これは５円玉、５０玉のような中心に孔の開いた硬貨を識別するためである。下段の透過スリット３５ｂは、包装硬貨３０の有無と、その配置間隔を識別するため、包装硬貨３０の底部に相対する位置に形成されている。
【００２５】
貨幣検知センサ３２は、装填庫１８の長手方向Ａに沿って走査される基板（図示せず）に搭載されている。該貨幣検知センサ３２は、図４で示すように、投光側の投光センサ３２ａと、受光側の受光センサ３２ｂとの一組で構成されている。そして、上下段の透過スリット３５ａ，３５ｂに対向して上下各２組、設置されている。上段の投光センサ３２ａから出射される光線が透過スリット３５ａを移動する軌跡を、図６において“３７”で示し、下段の投光センサ３２ａから出射される光線が透過スリット３５ｂを移動する軌跡を、図６において“３８”で示している。
【００２６】
このような構成の貨幣検知センサ３２は、前記投光センサ３２ａを光源として、装填庫１８側板３４の下段スリット３５ｂに向けて照射された照射光が装填庫１８内部に装填された包装硬貨３０の隙間を透過して、装填庫１８側板３４の下段スリット３５ｂに届く透過光の有無を受光センサ３２ｂで検知する構成となっている。包装硬貨３０が存在すれば、光は遮られて受光センサ３２ｂで検知できない。包装硬貨３０と次の包装硬貨３０との隙間があれば、光は透過して受光センサ３２ｂで検知できる。そこで貨幣検知センサ３２及びその基板を装填庫１８の長手方向Ａに沿って走査していき、光が透過状態から遮蔽状態に変化した回数、及び／又は光が遮蔽状態から透過状態に変化した回数を数えることで、包装硬貨３０の有無、本数を知ることができる。また透過状態を保持する時間と、遮蔽状態を保持する時間とに基づいて、包装硬貨３０の直径を推定することができ、これにより金種を確認することができる。
【００２７】
また、前述したように、上段スリット３５ａにおいて、光が透過状態から遮蔽状態に変化した回数、及び／又は光が遮蔽状態から透過状態に変化した回数を数えることで、５円玉、５０玉のような中心に孔の開いた硬貨の本数を知ることができる。なお１０円玉など孔の開いていない硬貨では、硬貨が装填されている範囲では常に遮蔽状態となる。
このようにして制御部１１は、各装填庫１８別に包装硬貨３０の本数、金種を集計することができる。集計した結果を、記憶部１３に記憶させる。このように、貨幣検知センサ３２は装填庫１８を自動的に精査する手段として機能する。
【００２８】
図７及び図８は、自動両替機１０を背面から見た斜視図である。自動両替機１０の背面には、背面全体を開閉する装置後扉４０と、各列の装填庫装着部１７を開放して装填庫１８を引き出すために設けられた遮蔽扉４１ａ，４１ｂとが取り付けられている。装置後扉４０も遮蔽扉４１ａ，４１ｂも、いずれも保守員が操作して開ける扉である。
遮蔽扉４１ａ，４１ｂは、２列ある装填庫装着部１７に対応して２つ設けられている。しかし、これに限定されるものではなく、遮蔽扉４１は、装填庫１８が３列に設置されているものであれば、これらの３列に対して３つ設けられていてもよい。また装填庫１８が３列に設置され、遮蔽扉は２つ存在し、第一の遮蔽扉は１列目と２列目の装填庫１８を遮蔽し、第二の遮蔽扉は３列目の装填庫１８を遮蔽するものであってもよい。要するに、遮蔽扉は複数存在し、その数は、装填庫１８の列数又はそれ以下であれば良い。また、遮蔽扉は１列の装填庫を上下に分割して遮蔽してもよいし、同一金種がそれぞれの遮蔽扉に分かれるように、遮蔽扉を構成しても構わない。
【００２９】
各遮蔽扉４１ａ，４１ｂの上部には、各列の装填庫装着部１７に対応して、装填庫１８別の貨幣装填本数等を表示する係員画面３３ａ，３３ｂが設置されている。係員画面３３ａ，３３ｂは液晶表示画面などで構成される。係員画面３３ａ，３３ｂは、各列の装填庫１８に対して、装填庫１８が抜き取り中かどうか、装填庫１８が装着されている場合には包装硬貨３０の本数（実際の装填数でも装填可能数でもよいが、以下では装填可能数を想定する）、装填異常（金種違い）の有無、異常の部位などの項目を表示することができる。さらに装填庫１８への装填が可能かどうかを表示することもできる。
【００３０】
それぞれの遮蔽扉４１ａ，４１ｂには、当該列の装填庫１８の抜取りを規制するため、扉の開閉をロックするロック機構４２（図８参照）を備えている。ロック機構４２の構造は限定されないが、例えば装填庫装着部１７の所定位置に設けられたピンと、扉のそのピンに対応する位置に設けられた前記ピンに係合するレバーと、当該レバーを固定するソレノイドとで構成してもよい。ロック機構４２は、制御部１１に接続されており、いずれかの遮蔽扉４１ａ，４１ｂが開き禁止制御された場合、制御部１１によって、前記ソレノイドを駆動することによりレバーが連動して、前記ピンとともに遮蔽扉４１ａ，４１ｂを装填庫装着部１７にロックする。このようにして、装填庫装着部１７からの装填庫１８の抜取りを規制する。
【００３１】
なお、装填庫１８は、上述したように、左右二列で備えられているため、遮蔽扉４１ａ，４１ｂに備えたロック機構も、左右それぞれの遮蔽扉４１ａ，４１ｂに独立して配置されている。
図９は、包装硬貨処理部１５における装填庫１８への貨幣の補充を許容する貨幣補充取扱い動作を説明するフローチャートである。
【００３２】
制御部１１は、何れかの列の遮蔽扉４１と装置後扉４０が閉じられた時点で、装着センサ３１を用いてその列の装填庫１８の装着状態を点検する。なお、扉が閉じられた時点以外に一定の時刻（毎朝８時など）になれば点検をするという動作を追加しても良い。
制御部１１は次に、装着されている各装填庫１８に対して、貨幣検知センサ３２を走査して、当該装填庫１８の貨幣検知センサ３２の検知結果を調べる（ステップＳ１）。
【００３３】
このように貨幣検知センサ３２で装填庫１８を自動的に精査することにより、包装硬貨補充後の本数チェック、金種違いのチェックが可能となり、厳正化を図れる。その結果、包装硬貨がない（０本の）装填庫１８があれば、当該装填庫１８を補充の対象に選定するとともに、手数料管理サーバ２０の所定の画面に「補充すべきトレーがあります」と、表示する（ステップＳ２）。なお、補充の対象に選定する条件として、包装硬貨がない（０本）以外に、包装硬貨の収納数が残り少ない（ｍ本以下；ｍは１以上の所定の整数）、を条件にしてもかまわない。
【００３４】
保守員により装置後扉４０が開かれると（ステップＳ３のYes）、制御部１１は自動両替機１０が両替動作に入っているかどうかをチェックする（ステップＳ４）。両替動作に入っていなければ、無条件で装填庫１８の補充を許可する。
両替動作に入っていれば出金の対象とする装填庫１８の抜き取りを禁止すべきであるが、本発明では、この判断を装填庫１８の列ごとに行う。このため、何れかの列の装填庫１８が出金中であっても、他の列の装填庫１８を補充可能にするところに特徴がある。すなわち、何れかの列の装填庫１８が出金中であっても、その列以外の列の装填庫１８の補充を許可する。
【００３５】
そこで制御部１１は、補充の対象に選定されている装填庫１８が属さない、他列の装填庫１８を入出金の対象とするような制御をすることが好ましい。このためには、図１１に示すように、各列に、互いに同一金種の装填庫１８が含まれているようにすることが好ましい。すなわち列ごとに金種を均等にレイアウトしておく。こうすれば、制御部１１は、入出金の対象とする装填庫１８を選択するときに、補充の対象に選定された装填庫１８が属さない、他列の中から選択することができる。
【００３６】
このようにして制御部１１は、包装硬貨の補充の対象になっている列は、入出金中の装填庫１８が属する列とは違う列とすることができる。
なお、カード挿入中、両替金種選択中など、入出金動作につながる前段階の動作中は、入出金の対象とする装填庫１８がまだ特定できないので、「補充不可表示」とし、全列の遮蔽扉４１をロックすることが望ましい。この場合、次のステップＳ５に移らずに、「しばらくお待ちください」といった表示を出して、遮蔽扉４１をロックし、装填庫１８の補充を許可してもよい条件が整うまで待つ。装填庫１８の補充を許可するかどうかの判断の詳細は、図１０を用いて後に詳しく説明する。
【００３７】
制御部１１は、装填庫１８の補充を許可してもよい場合、係員画面３３に「左列（又は右列）を開いて、何段目の装填庫１８を補充してください」と表示する（ステップＳ５）。補充すべき金種も同時に表示する。
保守員は、係員画面３３の表示により補充すべき装填庫１８の列、段数を確認した上で、当該列の遮蔽扉４１を開いて装填庫１８を抜取り、包装硬貨３０を追加補充し、金種別装填庫１８を装填庫装着部１７に装着する（ステップＳ６）。その後遮蔽扉４１と装置後扉４０とが閉じられると（ステップＳ７）、本処理はスタートに戻る。すなわち、制御部１１は、装着センサ３１を用いてその列の装填庫１８の装着状態を点検すると共に、貨幣検知センサ３２を走査して、装填庫１８ｎが正常に補充されたことを確認するために包装硬貨の本数を計数する。そして再び、包装硬貨の収納数がないか残り少ない収納庫を探索する（ステップＳ１）。
【００３８】
次に、制御部１１が、装着されている各装填庫１８に対して、どの列の装填庫１８を補充の対象にするかどうかの判定基準を説明する。図１０は、補充対象列の選択動作を示すフローチャートである。
まず、両替動作が行われていない「待機中」であれば、いかなる装填庫１８も補充の対象にする（ステップＴ１）。遮蔽扉４１のロックは、すべて解除される。
【００３９】
顧客によって両替処理が開始されると（ステップＴ２）、カード挿入、紙幣入出金口１６ａからの入金処理、顧客操作部１２での両替金種選択と完了ボタン操作、出金処理、硬貨取出口１４ａ、包装硬貨取出口１５ａ及び紙幣入出金口１６ａでの支払い動作が続いて行われる。この流れにおいて、カード挿入動作は入金動作の前段階であり、両替金種選択中は出金動作の前段階であるので、「補充不可表示」とし、全列の遮蔽扉４１をロックすることが望ましい。
【００４０】
紙幣入出金口１６ａからの入金処理中は、通常は、紙幣が入金されるので、包装硬貨を装填する装填庫１８は入金処理の対象になることはないが、包装硬貨を出金する可能性があるので、入金処理をしている装填庫１８の属する列を特定する（ステップＴ３）。出金処理中は、通常、包装硬貨を装填する装填庫１８が出金の対象に選ばれるので、その出金処理をしている装填庫１８の属する列を特定する（ステップＴ３）。特定された列が出金処理の対象に選ばれている場合であっても、当該列は補充の対象としないで、他の列のみを補充の対象とする（ステップＴ５）。例えば右列の装填庫１８が出金処理の対象に選ばれている場合、右列は補充の対象としないで、左列のみを補充の対象とする。
【００４１】
補充の対象とされなかった列は、係員画面３３に「補充不可表示」がなされるとともに、当該列の遮蔽扉４１はロックされる（ステップＴ５）。よって、保守員が当該列の装填庫１８を開けることはできなくなる。
補充の対象とされた列は、係員画面３３に「補充可表示」（図９のステップＳ４）がなされるとともに、当該列はロックが解除される（ステップＴ６）。よって、保守員が当該列の装填庫１８を開けることができる。
【００４２】
両替処理が終了し、硬貨取出口１４ａ、包装硬貨取出口１５ａ及び紙幣入出金口１６ａでの支払い動作中は、任意の装填庫１８を補充の対象にして、待機中（ステップＴ１）にリターンする（ステップＴ７）。
以上のように、自動両替機１０が両替取扱中であっても、入出金処理をしていない列の装填庫１８を補充の対象とし、入出金処理をしている列の装填庫１８を補充の対象から除外することができる。したがって、包装硬貨処理部１２の入出金処理中において、「入出金予定の金種別装填庫１８が抜取られることにより自動両替装置に障害が生じること」を防止するとともに、従来のように利用客を待たすことなく、両替取扱中に補充作業を実施することができる。
【００４３】
以上で、本発明の実施の形態を説明したが、本発明の実施は、前記の形態に限定されるものではない。包装硬貨処理部１５での包装硬貨の補充取扱いを説明したが、バラ硬貨処理部１４、紙幣処理部１６のそれぞれに両替用の紙幣、バラ硬貨が補充される場合も同じように取り扱うことができる。また本実施例においては、装填庫１８の抜取可否を表示する一例として、装填庫装着部１７の背面側に係員画面３３を設けた構成で説明したが、本実施形態に限らず各装填庫１８の指定が判る構成であれば、例えば、自動両替機１０の任意の場所に上記係員画面３３を設けても良い。また係員画面３３は、液晶表示で各装填庫１８の指定を案内する構成に限らず、発光ダイオードなどが発光する色に応じて案内する構成など、保守員が金種別装填庫１８ごとの抜取可否が判断できる構成のものであればよい。また本実施の形態では、装填庫を２列に並べ、１列ごとに遮蔽版で遮蔽するようにしたが、列ごとに遮蔽しなくても、１枚の遮蔽版で複数の装填庫を遮蔽できるようにしても構わない。その他本発明の範囲内で種々の変更を施すことが可能である。
【符号の説明】
【００４４】
１０  自動両替機
１１  制御部（ＣＰＵ）
１５  包装硬貨処理部
１７  装填庫装着部
１８  装填庫
１９  表示部
３０  包装硬貨
３１  装着センサ
３２，３２ａ，３２ｂ  貨幣検知センサ
３３ａ，３３ｂ  係員画面
３４  側板
３５，３５ａ，３５ｂ  透過スリット
４０  装置後扉
４１ａ，４１ｂ  遮蔽扉
４２  ロック機構
【図１】
0005592213.tif 000002
【図２】
0005592213.tif 000003
【図３】
0005592213.tif 000004
【図４】
0005592213.tif 000005
【図５】
0005592213.tif 000006
【図６】
0005592213.tif 000007
【図７】
0005592213.tif 000008
【図８】
0005592213.tif 000009
【図９】
0005592213.tif 000010
【図１０】
0005592213.tif 000011
【図１１】
0005592213.tif 000012
【図１２】
0005592213.tif 000013
【図１３】
0005592213.tif 000014